(57)【要約】【課題】  装置本体の設置面の周辺における作業領域を確保しながら手差し給紙が可能な手差し給紙機構及び画像形成装置を得る。【解決手段】  手差しトレイ４６に記録紙Ｐを載置して手差し印刷をする場合、手差しトレイ４６から外付け給紙機構部４４へ送られた記録紙Ｐは、中継給紙機構部３９を介して反転機構部３６に向かって上から下へ給紙され、反転機構部３６を経て搬送機構部１８へ搬送された後、搬送機構部１８で本体排出口２０へ向けて搬送され、排出される。このように、手差し給紙機構４０を装置本体１２の上部に取り付けて反転機構部３６経由で搬送機構部１８へ給紙することで、装置本体１２の設置面の周辺における作業領域を確保しながら手差し給紙が可能となる。【選択図】      図１
2007055726.tif 000002
【特許請求の範囲】
【請求項１】
画像形成された記録紙が排出される排紙手段を有する画像形成装置の装置本体に取り付けられる手差し給紙機構であって、
前記排紙手段の上方に配置され、記録紙を載置する載置部と、
前記載置部に載置された前記記録紙を前記画像形成装置の反転機構部に向かって上から下へ給紙する給紙機構部と、
を有することを特徴とする手差し給紙機構。
【請求項２】
記録紙を排出側へ向けて搬送する搬送機構部と、
前記搬送機構部に接続され、片面に記録された記録紙を反転させて前記搬送機構部へ戻す反転機構部と、
前記記録紙を載置する載置部と、
前記反転機構部に接続され、前記載置部に載置された前記記録紙を前記反転機構部に向かって上から下へ給紙する給紙機構部と、
前記搬送機構部で搬送された前記記録紙が排出される排紙トレイと、
を有し、
前記載置部が前記排紙トレイに重なって配置されることを特徴とする画像形成装置。
【請求項３】
前記載置部から前記記録紙を送り出す方向と、前記記録紙が排出される方向とが反対方向であることを特徴とする請求項２記載の画像形成装置。
【請求項４】
前記載置部と前記給紙機構部とを備えた手差し給紙機構を有し、前記手差し給紙機構が、前記反転機構部に接続可能な複数の取付け位置に着脱可能であることを特徴とする請求項２又は請求項３に記載の画像形成装置。
【請求項５】
前記載置部と前記給紙機構部とを備えた手差し給紙機構を有し、前記載置部は、前記記録紙が排出される位置の上方に配置可能とされ、前記手差し給紙機構の移動又は取外しによって前記記録紙が排出される位置の上方から退避可能とされることを特徴とする請求項２から４のいずれか一項に記載の画像形成装置。
【請求項６】
前記載置部は、前記記録紙が排出される位置の上方に配置可能とされると共に、前記記録紙が排出される位置の上方から、移動又は取り外されて退避可能であることを特徴とする請求項２から５のいずれか一項に記載の画像形成装置。
【請求項７】
前記載置部の上方に前記記録紙が排出されることを特徴とする請求項２記載の画像形成装置。
【請求項８】
記録紙が排出される排紙手段と、
前記記録紙を排出側へ向けて搬送する搬送機構部と、
前記搬送機構部に接続され、片面に記録された記録紙を反転させて前記搬送機構部へ戻す反転機構部と、
前記反転機構部に接続され、前記記録紙を前記反転機構部に向かって上から下へ給紙する給紙機構部と、
を有し、前記排紙手段の上方から前記記録紙を給紙することを特徴とする画像形成装置。
【発明の詳細な説明】
【技術分野】
【０００１】
本発明は、記録紙を給紙する手差し給紙機構、及び、記録紙を給紙して記録紙に画像を形成する画像形成装置に関する。
【背景技術】
【０００２】
画像形成装置においては、種々の用紙をセット可能とするために、手差し給紙機構を設ける場合がある（例えば、特許文献１参照）。このような機構では、装置本体の下部に手差しトレイを突出配置させて手差しトレイから搬送経路への給紙を可能にした状態としている。
【０００３】
この従来の画像形成装置では、手差しトレイによって、例えば、下部カセットの出し入れが行いにくくなったり、装置本体の下部周辺に資料を置くスペースが小さくなる等のように、装置本体の設置面の周辺における作業領域が狭くなる。この問題は手差しトレイに替えて画像が形成された記録紙が排出される排出トレイが装置本体の下部に突出配置されている場合も同様である。
【特許文献１】特開２００３−７３０３８公報
【発明の開示】
【発明が解決しようとする課題】
【０００４】
本発明は、上記事実を考慮して、装置本体の設置面の周辺における作業領域を確保しながら手差し給紙が可能な手差し給紙機構及び画像形成装置を提供することを課題とする。
【課題を解決するための手段】
【０００５】
請求項１に記載する本発明の手差し給紙機構は、画像形成された記録紙が排出される排紙手段を有する画像形成装置の装置本体に取り付けられる手差し給紙機構であって、前記排紙手段の上方に配置され、記録紙を載置する載置部と、前記載置部に載置された前記記録紙を前記画像形成装置の反転機構部に向かって上から下へ給紙する給紙機構部と、を有することを特徴とする。
【０００６】
請求項１に記載する本発明の手差し給紙機構によれば、手差し給紙機構が画像形成装置の装置本体に取り付けられて手差し印刷をする場合、載置部に載置された記録紙は、給紙機構部によって画像形成装置の反転機構部に向かって上から下へ給紙される。
【０００７】
載置部は排紙手段の上方に配置されるので、装置をコンパクトに構成でき、設置面の周辺における作業領域を確保できる。
【０００８】
反転機構部を給紙経路として兼用するので、別途上から下へ給紙する経路を設ける必要が無く、装置をコンパクトに構成でき、設置面の周辺における作業領域を確保できる。
【０００９】
請求項２に記載する本発明の画像形成装置は、記録紙を排出側へ向けて搬送する搬送機構部と、前記搬送機構部に接続され、片面に記録された記録紙を反転させて前記搬送機構部へ戻す反転機構部と、前記記録紙を載置する載置部と、前記反転機構部に接続され、前記載置部に載置された前記記録紙を前記反転機構部に向かって上から下へ給紙する給紙機構部と、前記搬送機構部で搬送された前記記録紙が排出される排紙トレイと、を有し、前記載置部が前記排紙トレイに重なって配置されることを特徴とする。
【００１０】
請求項２に記載する本発明の画像形成装置によれば、載置部に記録紙を載置して手差し印刷をする場合、載置部から給紙機構部へ送られた記録紙は、反転機構部に向かって上から下へ給紙され、反転機構部を経て搬送機構部へ搬送された後、搬送機構部で排出側へ向けて搬送され、排出される。
【００１１】
積載部と排紙トレイが重なって配置されるので、装置をコンパクトに構成でき、設置面の周辺における作業領域を確保できる。
【００１２】
請求項３に記載する本発明の画像形成装置は、請求項２記載の構成において、前記載置部から前記記録紙を送り出す方向と、前記記録紙が排出される方向とが反対方向であることを特徴とする。
【００１３】
請求項３に記載する本発明の画像形成装置によれば、載置部から記録紙が送り出され、この送り出す方向と記録紙が排出される方向とが反対方向となっている。
【００１４】
請求項４に記載する本発明の画像形成装置は、請求項２又は請求項３に記載の構成において、前記載置部と前記給紙機構部とを備えた手差し給紙機構を有し、前記手差し給紙機構が、前記反転機構部に接続可能な複数の取付け位置に着脱可能であることを特徴とする。
【００１５】
請求項４に記載する本発明の画像形成装置によれば、手差し給紙機構の取付け位置を、使用状況に応じて変えることができる。
【００１６】
請求項５に記載する本発明の画像形成装置は、請求項２から４のいずれか一項に記載の構成において、前記載置部と前記給紙機構部とを備えた手差し給紙機構を有し、前記載置部は、前記記録紙が排出される位置の上方に配置可能とされ、前記手差し給紙機構の移動又は取外しによって前記記録紙が排出される位置の上方から退避可能とされることを特徴とする。
【００１７】
請求項５に記載する本発明の画像形成装置によれば、排出された記録紙を取り出す際に、手差し給紙機構の移動又は取外しによって記録紙が排出される位置の上方から載置部を退避させることで、記録紙を容易に取り出すことができる。
【００１８】
請求項６に記載する本発明の画像形成装置は、請求項２から５のいずれか一項に記載の構成において、前記載置部は、前記記録紙が排出される位置の上方に配置可能とされると共に、前記記録紙が排出される位置の上方から、移動又は取り外されて退避可能であることを特徴とする。
【００１９】
請求項６に記載する本発明の画像形成装置によれば、排出された記録紙を取り出す際に、記録紙が排出される位置の上方から、載置部を移動又は取り外して退避させることで、記録紙を容易に取り出すことができる。
【００２０】
請求項７に記載する本発明の画像形成装置は、請求項２記載の構成において、前記載置部の上方に前記記録紙が排出されることを特徴とする。
【００２１】
請求項７に記載する本発明の画像形成装置によれば、載置部の上方に記録紙が排出されるので、記録紙の取り出しが容易になる。
【００２２】
請求項８に記載する本発明の画像形成装置は、記録紙が排出される排紙手段と、前記記録紙を排出側へ向けて搬送する搬送機構部と、前記搬送機構部に接続され、片面に記録された記録紙を反転させて前記搬送機構部へ戻す反転機構部と、前記反転機構部に接続され、前記記録紙を前記反転機構部に向かって上から下へ給紙する給紙機構部と、を有し、前記排紙手段の上方から前記記録紙を給紙することを特徴とする。
【００２３】
請求項８に記載する本発明の画像形成装置によれば、記録紙を印刷する場合、排紙手段の上方から給紙機構部へ給紙された記録紙は、反転機構部に向かって上から下へ給紙され、反転機構部を経て搬送機構部へ搬送された後、搬送機構部で排出側へ向けて搬送され、排紙手段に排出される。
【発明の効果】
【００２４】
以上説明したように、本発明の手差し給紙機構及び画像形成装置によれば、装置本体の設置面の周辺における作業領域を確保しながら手差し給紙ができるという優れた効果を有する。
【発明を実施するための最良の形態】
【００２５】
本発明における手差し給紙機構が取り付けられる画像形成装置の第１の実施形態を図面に基づき説明する。
（第１の実施形態）
図１に示されるように、画像形成装置１０は、装置本体１２を備えており、設置台９０上に設置されている。装置本体１２の下部には、着脱可能な給紙カセット１４が装着され、給紙カセット１４内には、複数枚の記録紙Ｐが積載されている。給紙カセット１４の上方には、給紙ローラ１６が配置されており、この給紙ローラ１６が回転することで、記録紙Ｐが１枚ずつ上方へ給紙される。
【００２６】
給紙ローラ１６の用紙排出側には、搬送機構部１８が設けられる。搬送機構部１８は、略上下方向に延びる搬送経路１８Ａを画定するための部品（ガイド板、搬送ローラ２２等）を備え、記録紙Ｐを排出側となる本体排出口２０へ向けて搬送する機構部である。ここで、搬送経路１８Ａは、本体排出口２０に至る記録紙通路とされ、搬送機構部１８に配置される搬送ローラ２２は、搬送経路１８Ａに沿って記録紙Ｐを搬送するようになっている。
【００２７】
搬送機構部１８の中間には、感光ドラム２４が配置されており、この感光ドラム２４上では、帯電処理、露光処理、現像処理がなされて感光ドラム２４上にトナー画像を形成するようになっている。感光ドラム２４に対向した位置には、転写ローラ２６が配置されており、この転写ローラ２６は、感光ドラム２４上のトナー画像を記録紙Ｐに転写するようになっている。
【００２８】
感光ドラム２４及び転写ローラ２６の搬送下流側（図１の上方）には、加圧ローラ２８と加熱ローラ２９とで構成される定着装置３０が配置される。定着装置３０は、トナー画像が転写された記録紙Ｐを挟持搬送しながら熱定着するようになっている。定着装置３０の搬送下流側には、一対の排紙ローラ３２が配置されている。排紙ローラ３２は、記録紙Ｐの排出時には、記録紙Ｐを挟持搬送して装置本体１２の上部の排紙手段としての排紙トレイ３４に排出するようになっている。
【００２９】
搬送機構部１８には、反転機構部３６が接続されている。この反転機構部３６は、反転経路３６Ａを画定するための部品（ガイド板、搬送ローラ３８等）を備え、片面に記録された記録紙Ｐを反転させて搬送機構部１８へ戻す機構部である。
【００３０】
ここで、反転経路３６Ａは、略上下方向に延び、搬送上流側及び搬送下流側が搬送経路１８Ａに接続された記録紙通路とされる。すなわち、反転経路３６Ａの搬送上流側は、搬送経路１８Ａにおける排紙ローラ３２の搬送上流側に接続され、反転経路３６Ａの搬送下流側は、搬送経路１８Ａにおける感光ドラム２４及び転写ローラ２６の搬送上流側（図１の下方）に接続されている。
【００３１】
記録紙Ｐを両面印刷する場合には、排紙ローラ３２によって挟持される記録紙Ｐの後端が搬送経路１８Ａと反転経路３６Ａとの接続部を通過した後に、排紙ローラ３２の回転を逆転させることで、記録紙Ｐを反転経路３６Ａに搬送するようになっている。反転機構部３６で搬送された記録紙Ｐは、再び搬送機構部１８へ戻されて裏面印刷がされるようになっている。
【００３２】
反転機構部３６の上方には、装置本体１２の上部に手差し給紙機構用の取付け部１２Ａが設けられており、この取付け部１２Ａに手差し給紙機構４０の給紙装置部４２が着脱可能に取り付けられている。取付け部１２Ａには、下方の反転機構部３６に接続される中継給紙機構部３９が形成され、給紙装置部４２には、外付け給紙機構部４４が形成されており、取付け部１２Ａに給紙装置部４２を取り付けることによって、給紙装置部４２の外付け給紙機構部４４が中継給紙機構部３９に接続されるようになっている。
【００３３】
中継給紙機構部３９は、略上下方向に延びる中継給紙路３９Ａを画定するための部品（ガイド板等）を備え、外付け給紙機構部４４からの記録紙Ｐを反転機構部３６に給紙する機構部である。外付け給紙機構部４４は、外付け給紙路４４Ａを画定するための部品（ガイド板等）を備え、給紙装置部４２に取り付けられた載置部としての手差しトレイ４６（詳細後述）に載置された記録紙Ｐを（本実施形態では、中継給紙機構部３９を介して）反転機構部３６に向かって上から下へ給紙する機構部である。ここで、取付け部１２Ａに給紙装置部４２を取り付けた状態では、外付け給紙路４４Ａが中継給紙路３９Ａに接続された状態となっている。
【００３４】
給紙装置部４２には、載置部としての手差しトレイ４６が着脱可能に取り付けられており、この手差しトレイ４６に記録紙Ｐが載置される。この手差しトレイ４６は、排紙トレイ３４の上方、すなわち、記録紙Ｐが排出される位置の上方に配置される（本実施形態では、手差しトレイ４６が排紙トレイ３４に重なって（離れた状態で）配置される。）。
【００３５】
手差しトレイ４６の取付け基部側の上方には、外付け給紙路４４Ａに繋がる開口部（図示省略）が形成されると共に、給紙装置部４２に設けられた手差し給紙ローラ４８が配置されている。給紙装置部４２には、手差し給紙ローラ４８のローラ軸に連結された歯車機構（図示省略）が設けられる。この歯車機構の歯車（図示省略）は、給紙装置部４２が装置本体１２に取り付けられることで、装置本体１２に設けられた歯車機構の歯車（図示省略）と噛み合うようになっており、装置本体１２に設けられた歯車機構の歯車は、装置本体１２のコントローラ（図示省略）からの指示に従って回転駆動するようになっている。
【００３６】
これにより、給紙装置部４２が装置本体１２に取り付けられた状態では、装置本体１２のコントローラ（図示省略）からの指示に従って手差し給紙ローラ４８が回転し、手差しトレイに載置された記録紙Ｐを外付け給紙路４４Ａに１枚ずつ給紙する。給紙された記録紙Ｐは、外付け給紙路４４Ａ、中継給紙路３９Ａを通って反転経路３６Ａに向かって上から下へ給紙されるようになっている。
【００３７】
なお、本実施形態では、給紙装置部４２と装置本体１２との連結によって、双方に設けられた歯車同士が噛み合う構成であるが、給紙装置部４２と装置本体１２との連結によって、手差し給紙ローラ４８のローラ軸における駆動モータ（図示省略）が、装置本体１２と電気的に接続され、装置本体１２のコントローラ（図示省略）からの指示に従って、手差し給紙ローラ４８のローラ軸における駆動モータが回転駆動するような構成としてもよい。
【００３８】
手差し給紙ローラ４８が給紙のために手差しトレイ４６から記録紙Ｐを送り出す方向（矢印Ａ方向）と、排紙ローラ３２によって排紙トレイ３４へ記録紙Ｐが排出される方向（矢印Ｂ方向）とは、反対方向となるように設定されている。
【００３９】
上記により手差し給紙機構４０を配置した場合、表面を上向きにして記録紙Ｐを手差しトレイ４６に載置（給紙カセット１４へ記録紙Ｐを収容する場合と同様の向きに載置）すれば、記録紙Ｐの表面が印刷されることになるので、記録紙Ｐの載置時における表裏の向きを誤りにくい。
【００４０】
次に、上記の実施形態の作用を説明する。
【００４１】
手差し給紙機構４０が画像形成装置１０に取り付けられて手差し印刷をする場合、装置本体１２のコントローラ（図示省略）からの指示に従って手差し給紙ローラ４８が回転し、手差しトレイ４６に載置された記録紙Ｐを外付け給紙路４４Ａに１枚ずつ給紙する（排紙トレイ３４の上方から記録紙Ｐを給紙する。）。
【００４２】
手差しトレイ４６から外付け給紙路４４Ａへ送られた記録紙Ｐは、外付け給紙機構部４４から中継給紙機構部３９を経て反転機構部３６に向かって上から下へ給紙される。このとき、記録紙Ｐは、駆動ローラによる駆動力を受けることなく、自由落下によって反転機構部３６に導かれる。
【００４３】
反転機構部３６では、搬送ローラ３８が反転経路３６Ａに沿って記録紙Ｐを搬送機構部１８へ搬送する。搬送機構部１８では、搬送ローラ２２が搬送経路１８Ａに沿って記録紙Ｐを搬送し、転写ローラ２６が感光ドラム２４上のトナー画像を記録紙Ｐに転写し、定着装置３０が記録紙Ｐ上のトナー画像を熱定着した後、排紙ローラ３２が画像形成された記録紙Ｐを排紙トレイ３４に排出する。なお、両面印刷の場合には、排紙ローラ３２が逆回転して記録紙Ｐを反転経路３６Ａへ導く。
【００４４】
以上のように、手差し給紙機構４０を装置本体１２の上部に取り付けて反転機構部３６経由で搬送機構部１８へ給紙することで、装置本体１２の設置面の周辺における作業領域を確保しながら手差し給紙が可能となる（特に、本実施形態によれば、投影面積を変えずに、手差し給紙を実現できる。）。また、手差しトレイ４６への記録紙Ｐの補給作業の容易性も確保できる。
【００４５】
さらに、反転機構部３６に向かって上から下へ給紙することによって、別途搬送用の駆動ローラ等の部品を設けることなく手差し給紙を実現できる。
（第２の実施形態）
次に、手差し給紙機構が取り付けられる画像形成装置の第２の実施形態を図２に基づき説明する。第２の実施形態に係る画像形成装置１０は、ソータの機能を備えた画像形成装置である。なお、第１の実施形態と同様の構成部分については、同一符号を付して説明を省略する。
【００４６】
図２に示されるように、装置本体１２の取付け部１２Ａには、第２排出機構５０の排出機構部５２が取り付けられている。排出機構部５２は、装置本体１２の搬送経路１８Ａから分流した分流搬送経路５３に接続される分流経路５４を備える。分流経路５４には、一対の排紙ローラ５６が配置され、この排紙ローラ５６は、装置本体１２の定着装置３０で熱定着された記録紙Ｐを挟持搬送して排出機構部５２に取り付けられた第２排紙トレイ５８に排出するようになっている。
【００４７】
排出機構部５２の上部には、手差し給紙機構用の取付け部５２Ａが設けられており、この取付け部５２Ａに手差し給紙機構４０の給紙装置部４２が着脱可能に取り付けられている。取付け部５２Ａには、下方の中継給紙機構部３９に接続される第２中継給紙機構部５９が形成される。第２中継給紙機構部５９は、第２中継給紙路５９Ａを画定するための部品（ガイド板等）を備え、排出機構部５２が装置本体１２の取付け部１２Ａに取り付けられた状態では、第２中継給紙路５９Ａが中継給紙路３９Ａに接続される。また、排出機構部５２の取付け部５２Ａに給紙装置部４２を取り付けることによって、給紙装置部４２に形成される外付け給紙機構部４４が第２中継給紙機構部５９に接続され、外付け給紙路４４Ａが第２中継給紙路５９Ａに接続されるようになっている。
【００４８】
これによって、手差しトレイ４６に載置された記録紙Ｐは、外付け給紙機構部４４、第２中継給紙機構部５９、及び、中継給紙機構部３９を経て反転機構部３６に搬送されるようになっている。
（第３の実施形態）
次に、手差し給紙機構が取り付けられる画像形成装置の第３の実施形態を図３に基づき説明する。なお、第１の実施形態と同様の構成部分については、同一符号を付して説明を省略する。
【００４９】
図３に示されるように、装置本体１２の上部に設けられる手差し給紙機構用の取付け部１２Ｂは、図３の左右方向に若干位置の異なる２個の取付け位置で手差し給紙機構４０の給紙装置部４２を着脱できるようになっている。なお、図３では、２個の取付け位置の（図３における）各右端部を１１２Ｂ、２１２Ｂで示し、以下の記載において、右端部が１１２Ｂとなる取付け位置を便宜上「第１取付け位置１１２Ｂ」といい、右端部が２１２Ｂとなる取付け位置を便宜上「第２取付け位置２１２Ｂ」という。
【００５０】
ここで、手差し給紙機構４０の手差しトレイ４６が排紙トレイ３４の上方となるように配置する場合には、手差し給紙機構４０の給紙装置部４２を第１取付け位置１１２Ｂに取り付ける。これによって、外付け給紙機構部４４が中継給紙機構部３９を介して反転機構部３６に接続されるようになっている。
【００５１】
また、手差しトレイ４６が排紙トレイ３４と反対側となるように（図３では、装置本体１２の右側に突き出すように）配置する場合には、手差し給紙機構４０の給紙装置部４２を第２取付け位置２１２Ｂに取り付ける。これによって、外付け給紙機構部４４が中継給紙機構部３９を介して反転機構部３６に接続されるようになっている。
【００５２】
以上のように、手差し給紙機構４０が、反転機構部３６に接続可能な複数の取付け位置（第１、第２取付け位置１１２Ｂ、２１２Ｂ）に着脱可能とされることで、手差し給紙機構４０の取付け位置を、使用状況に応じて変えることができる。
（第４、第５の実施形態）
次に、手差し給紙機構が取り付けられる画像形成装置の第４の実施形態を図４に基づき説明する。なお、第１の実施形態と同様の構成部分については、同一符号を付して説明を省略する。
【００５３】
図４に示されるように、手差し給紙機構４０の給紙装置部４２が装置本体１２の取付け部１２Ａに取り付けられた給紙時の状態において、手差しトレイ４６は、記録紙Ｐが排出される位置の上方、すなわち、排紙トレイ３４の上方に配置される。
【００５４】
装置本体１２の取付け部１２Ａには、排紙トレイ３４側と反対側の方向（矢印Ｃ方向）に引き出し可能なスライド部１３が設けられている。給紙装置部４２は、スライド部１３と共に排紙トレイ３４側と反対側の方向（矢印Ｃ方向）へスライド移動可能とされる。これによって、手差しトレイ４６を排紙トレイ３４の上方から退避させることができる。
【００５５】
排紙トレイ３４に排出された記録紙Ｐを取り出す場合には、手差し給紙機構４０のスライド移動によって手差しトレイ４６を排紙トレイ３４の上方から退避させることで、記録紙Ｐを容易に取り出すことができる。
【００５６】
なお、第５の実施形態を示す図５のように、装置本体１２の上方にスキャナ装置６０が取り付けられた画像形成装置１０において、第４の実施形態と同様の構成を適用してもよい。
（第６の実施形態）
次に、手差し給紙機構が取り付けられる画像形成装置の第６の実施形態を図６に基づき説明する。なお、第１の実施形態と同様の構成部分については、同一符号を付して説明を省略する。
【００５７】
図６に示されるように、手差し給紙機構４０の給紙装置部４２が装置本体１２の取付け部１２Ａに取り付けられた状態においては、手差しトレイ４６は、記録紙Ｐが排出される位置の上方、すなわち、排紙トレイ３４の上方に配置される。
【００５８】
手差しトレイ４６の取付け基部側の側部には、支持ピン４６Ａが設けられて給紙装置部４２の溝状支持部（図示省略）に係合するようになっている。手差しトレイ４６の取付け状態では、手差しトレイ４６の取付け基部側の下方は、給紙装置部４２に折り畳み可能に設けられた受け部４２Ａによって支持されるようになっている。このように、手差しトレイ４６は、給紙装置部４２に着脱可能に取り付けられている。これにより、手差しトレイ４６を排紙トレイ３４の上方から容易に取り外して退避させることが可能となっている。
【００５９】
排紙トレイ３４に排出された記録紙Ｐを取り出す場合には、手差しトレイ４６を取り外して排紙トレイ３４の上方から退避させることで、記録紙Ｐを容易に取り出すことができる。
【００６０】
なお、本実施形態では、手差しトレイ４６を給紙装置部４２から取り外すことによって排紙トレイ３４の上方から退避させているが、給紙装置部４２に手差しトレイ４６をスライド移動させるための機構を設け、手差しトレイ４６をスライド移動させることによって手差しトレイ４６を排紙トレイ３４の上方から退避させるようにしてもよい。
（第７の実施形態）
次に、手差し給紙機構が取り付けられる画像形成装置の第７の実施形態を図７に基づき説明する。なお、第１の実施形態と同様の構成部分については、同一符号を付して説明を省略する。
【００６１】
図７に示されるように、装置本体１２の上部には、手差し給紙機構４０を備えたオプション装置６２のオプション装置本体６４が取り付けられる。オプション装置本体６４は、手差し給紙機構４０の載置部としての手差し用凹部６６を備え、この手差し用凹部６６に記録紙Ｐが載置されるようになっている。この手差し用凹部６６に載置された記録紙Ｐは、外付け給紙機構部４４、中継給紙機構部３９を介して装置本体１２の反転機構部３６に向かって上から下へ給紙されるようになっている。
【００６２】
オプション装置本体６４内には、排紙搬送機構部６８が形成されている。排紙搬送機構部６８は、排紙搬送路６８Ａを画定するための部品（ガイド板、搬送ローラ７２等）を備え、記録紙Ｐをオプション排出口７０へ排出するための機構である。ここで、排紙搬送路６８Ａは、装置本体１２の本体排出口２０を介して搬送経路１８Ａに接続されており、Ｕ字状に折り返して手差し用凹部６６の上方に配置されるオプション排出口７０へ向けて記録紙Ｐを搬送するための記録紙通路とされている。排紙搬送機構部６８に配置される搬送ローラ７２は、排紙搬送路６８Ａに沿って記録紙Ｐを搬送するようになっている。
【００６３】
オプション装置本体６４内において、オプション排出口７０に近接した位置には、一対の第２排紙ローラ７４が配置されている。第２排紙ローラ７４は、記録紙Ｐの排出時には、記録紙Ｐを挟持搬送してオプション装置本体６４に取り付けられた第２排紙トレイ７６に排出するようになっている。
【００６４】
なお、排紙搬送機構部６８の中間部には、記録紙Ｐを反転させるための反転機構７８が設けられており、この反転機構７８は、一対のローラを備えて記録紙Ｐを第２排紙トレイ７６上で所望の向き（印刷面を下にした向き）に排出できるように、搬送される記録紙Ｐを反転させるようになっている。
【００６５】
以上説明したような構成によれば、手差し用凹部６６の上方に記録紙Ｐが排出されており、排出された記録紙Ｐを目視によって容易に確認できると共に、記録紙Ｐの取り出しも容易になる。
【００６６】
なお、上記第１〜第７の実施形態では、記録紙Ｐが載置される載置部として、手差しトレイ４６、手差し用凹部６６が適用される場合について説明したが、載置部は、例えば、手差しカセット等のような記録紙を載置できる他の載置部であってもよい。
【００６７】
また、画像形成装置は、記録紙が載置される載置部のない構成であって単枚手差しによって記録紙の給紙が可能な構成であってもよい。
【図面の簡単な説明】
【００６８】
【図１】本発明の第１の実施形態に係る手差し給紙機構が取り付けられる画像形成装置を示す概要構成図である。
【図２】本発明の第２の実施形態に係る手差し給紙機構が取り付けられる画像形成装置を示す概要構成図である。
【図３】本発明の第３の実施形態に係る手差し給紙機構が取り付けられる画像形成装置を示す概要構成図である。
【図４】本発明の第４の実施形態に係る手差し給紙機構が取り付けられる画像形成装置を示す概要構成図である。
【図５】本発明の第５の実施形態に係る手差し給紙機構が取り付けられる画像形成装置を示す概要構成図である。
【図６】本発明の第６の実施形態に係る手差し給紙機構が取り付けられる画像形成装置を示す概要構成図である。
【図７】本発明の第７の実施形態に係る手差し給紙機構が取り付けられる画像形成装置を示す概要構成図である。
【符号の説明】
【００６９】
１０    画像形成装置
１２    装置本体
１８    搬送機構部
３４    排紙トレイ（排紙手段）
３６    反転機構部
３９    中継給紙機構部（給紙機構部）
４０    手差し給紙機構
４４    外付け給紙機構部（給紙機構部）
４６    手差しトレイ（載置部）
５９    第２中継給紙機構部（給紙機構部）
６６    手差し用凹部（載置部）
７６    第２排紙トレイ（排紙トレイ）
１１２Ｂ  第１取付け位置（取付け位置）
２１２Ｂ  第２取付け位置（取付け位置）
Ａ      記録紙Ｐを送り出す方向
Ｂ      記録紙Ｐが排出される方向
Ｐ      記録紙
【図１】
2007055726.tif 000003
【図２】
2007055726.tif 000004
【図３】
2007055726.tif 000005
【図４】
2007055726.tif 000006
【図５】
2007055726.tif 000007
【図６】
2007055726.tif 000008
【図７】
2007055726.tif 000009